(57)【要約】【課題】  遠方監視制御装置と被遠方監視制御装置との双方で複数の監視対象設備を監視可能とした遠方監視制御システムを提供すること。【解決手段】  実施形態によれば遠方監視制御システムは、項目識別子を用いる管理プロトコル対応の監視対象設備を収容する被遠方監視制御装置と遠方監視制御装置を具備する。被遠方監視制御装置は書き換え部と送信部を備える。書き換え部は、監視対象設備から送出された監視制御情報の項目識別子を当該監視制御情報の送出元の監視対象設備を識別可能に書き換える。送信部は、項目識別子を書き換えられた監視制御情報を遠方監視制御装置に送信する。遠方監視制御装置は受信部と特定部を備える。受信部は項目識別子を書き換えられた監視制御情報を被遠方監視制御装置から受信する。特定部は受信された監視制御情報の送出元の監視対象設備を当該監視制御情報の項目識別子に基づき特定する。【選択図】  図６
2019057786.tif 000002
【特許請求の範囲】
【請求項１】
項目識別子を用いる管理プロトコルに対応する監視対象設備と、前記監視対象設備を収容する被遠方監視制御装置と、前記被遠方監視制御装置と通信可能な遠方監視制御装置とを具備する遠方監視制御システムにおいて、
前記被遠方監視制御装置は、
前記監視対象設備から送出された監視制御情報の前記項目識別子を、当該監視制御情報の送出元の監視対象設備を識別可能に書き換える書き換え部と、
前記項目識別子を書き換えられた監視制御情報を前記遠方監視制御装置に送信する送信部とを備え、
前記遠方監視制御装置は、
前記項目識別子を書き換えられた監視制御情報を前記被遠方監視制御装置から受信する受信部と、
前記受信された監視制御情報の送出元の監視対象設備を、当該監視制御情報の項目識別子に基づいて特定する特定部とを備える、遠方監視制御システム。
【請求項２】
前記被遠方監視制御装置は、監視対象設備のアドレス情報と、前記項目識別子とを対応付けた変換テーブルを記憶する記憶部をさらに備え、
前記書き換え部は、前記変換テーブルに基づいて前記項目識別子を書き換える、請求項１に記載の遠方監視制御システム。
【請求項３】
前記アドレス情報は、前記監視対象設備のＩＰ（Internet Protocol）アドレスである、請求項２に記載の遠方監視制御システム。
【請求項４】
前記管理プロトコルはＳＮＭＰ（Simple Network Management Protocol）であり、前記項目識別子は監視項目ごとに割り当てられたＯＩＤ（Object ID）である、請求項１乃至３のいずれか１項に記載の遠方監視制御システム。
【請求項５】
遠方監視制御システムの遠方監視制御装置と通信可能な被遠方監視制御装置において、
項目識別子を用いる管理プロトコルに対応する監視対象設備から送出された監視制御情報の前記項目識別子を、当該監視制御情報の送出元の監視対象設備を識別可能に書き換える書き換え部と、
前記項目識別子を書き換えられた監視制御情報を、前記遠方監視制御装置に送信する送信部とを具備する、被遠方監視制御装置。
【請求項６】
監視対象設備のアドレス情報と、前記項目識別子とを対応付けた変換テーブルを記憶する記憶部をさらに備え、
前記書き換え部は、前記変換テーブルに基づいて前記項目識別子を書き換える、請求項５に記載の被遠方監視制御装置。
【請求項７】
前記アドレス情報は前記監視対象設備のＩＰ（Internet Protocol）アドレスである、請求項６に記載の被遠方監視制御装置。
【請求項８】
前記管理プロトコルはＳＮＭＰ（Simple Network Management Protocol）であり、前記項目識別子は監視項目ごとに割り当てられたＯＩＤ（Object ID）である、請求項５乃至７のいずれか１項に記載の被遠方監視制御装置。
【請求項９】
項目識別子を用いる管理プロトコルに対応する監視対象設備を収容する被遠方監視制御装置と、前記被遠方監視制御装置と通信可能な遠方監視制御装置とを具備する遠方監視制御システムに適用可能な監視制御方法であって、
前記被遠方監視制御装置が、前記監視対象設備から送出された監視制御情報の前記項目識別子を、当該監視制御情報の送出元の監視対象設備を識別可能に書き換える過程と、
前記被遠方監視制御装置が、前記項目識別子を書き換えられた監視制御情報を前記遠方監視制御装置に送信する過程と、
前記遠方監視制御装置が、記項目識別子を書き換えられた監視制御情報を前記被遠方監視制御装置から受信する過程と、
前記遠方監視制御装置が、前記受信された監視制御情報の送出元の監視対象設備を、当該監視制御情報の項目識別子に基づいて特定する過程とを具備する、監視制御方法。
【請求項１０】
前記被遠方監視制御装置は、監視対象設備のアドレス情報と前記項目識別子とを対応付けた変換テーブルに基づいて前記項目識別子を書き換える、請求項９に記載の監視制御方法。
【請求項１１】
前記アドレス情報は、前記監視対象設備のＩＰ（Internet Protocol）アドレスである、請求項１０に記載の監視制御方法。
【請求項１２】
前記管理プロトコルはＳＮＭＰ（Simple Network Management Protocol）であり、前記項目識別子は監視項目ごとに割り当てられたＯＩＤ（Object ID）である、請求項９乃至１１のいずれか１項に記載の監視制御方法。
【発明の詳細な説明】
【技術分野】
【０００１】
本発明の実施形態は、遠方監視制御システム、被遠方監視制御装置および監視制御方法に関する。
【背景技術】
【０００２】
遠方監視制御システムは、ネットワークシステムの設備や機器の状態を遠隔から監視・制御するために様々な領域で用いられている。例えば防災ネットワークに利用される遠方監視制御システムは、県庁などに設置される統制局と、市町村役場などに置かれる複数の子局（端末局）とを備える。統制局は、遠方監視制御装置を備える。遠方監視制御装置は、子局の監視対象設備（通信機器や無線機器など）を遠方から監視・制御する。子局は被遠方監視制御装置を備える。被遠方監視制御装置は、遠方監視制御装置と、子局の監視対象設備との間に設置される。
【０００３】
このような遠方監視制御システムで用いられるプロトコルとして、ＳＮＭＰ（Simple Network Management Protocol）がある。ＳＮＭＰでは、ＭＩＢ（Management Information Base）のツリー構造を反映するＯＩＤ（Object ID）を用いて、監視対象が識別される。現状では、ＳＮＭＰに対応した監視対象設備と、接点監視方式に対応した監視対象設備とが子局において混在している。前者を監視対象設備（ＳＮＭＰ）と表記し、後者を監視対象設備（接点）と表記して説明する。
【０００４】
監視対象設備（接点）は、監視制御情報を被遠方監視制御装置を経由して遠方監視制御装置に送信する。一方、監視対象設備（ＳＮＭＰ）は、被遠方監視制御装置を経由せずにＳＮＭＰベースの監視制御情報を遠方監視制御装置に送信する。このため被遠方監視制御装置は監視対象設備（ＳＮＭＰ）についての情報を知り得ず、子局において監視対象設備（ＳＮＭＰ）に関する情報を得るのが困難である。そこで、監視対象設備（接点）と監視対象設備（ＳＮＭＰ）との双方を被遠方監視制御装置に収容することが考えられた。しかし、一つの被遠方監視制御装置に複数の監視対象設備（ＳＮＭＰ）が接続されると、ＯＩＤは装置を識別する情報を持たないのでＳＮＭＰによる監視に不具合が生じてしまう。
【先行技術文献】
【特許文献】
【０００５】
【特許文献１】再公表ＷＯ２０１４／１４７６９２号公報
【特許文献２】特開２００８−１８１４５８号公報
【特許文献３】特開２００７−２８８４４７号公報
【発明の概要】
【発明が解決しようとする課題】
【０００６】
つまり、同じ監視項目についての監視制御情報は、複数の監視対象設備（ＳＮＭＰ）から同じＯＩＤで発せられる。これを受信した被遠方監視制御装置は、ＩＰ（Internet Protocol）アドレスによって送信元の監視対象設備（ＳＮＭＰ）を区別できるが、遠方監視制御装置では区別することができない。被遠方監視制御装置を経由した監視制御情報のＩＰアドレスは、被遠方監視制御装置自身のＩＰアドレスに書き換えられてしまうからである。この不具合は、複数の監視対象設備（ＳＮＭＰ）が同じベンダのものである場合に特に深刻であり、対処が望まれている。
【０００７】
そこで、目的は、遠方監視制御装置と被遠方監視制御装置との双方で複数の監視対象設備を監視可能とした遠方監視制御システム、被遠方監視制御装置および監視制御方法を提供することにある。
【課題を解決するための手段】
【０００８】
実施形態によれば、遠方監視制御システムは、項目識別子を用いる管理プロトコルに対応する監視対象設備を収容する被遠方監視制御装置と、被遠方監視制御装置と通信可能な遠方監視制御装置とを具備する。被遠方監視制御装置は、書き換え部と、送信部とを備える。書き換え部は、監視対象設備から送出された監視制御情報の項目識別子を、当該監視制御情報の送出元の監視対象設備を識別可能に書き換える。送信部は、項目識別子を書き換えられた監視制御情報を遠方監視制御装置に送信する。遠方監視制御装置は、受信部と、特定部とを具備する。受信部は、項目識別子を書き換えられた監視制御情報を被遠方監視制御装置から受信する。特定部は、受信された監視制御情報の送出元の監視対象設備を、当該監視制御情報の項目識別子に基づいて特定する。
【図面の簡単な説明】
【０００９】
【図１】実施形態に係わる遠方監視制御システムの一例を示す図。
【図２】統制局と監視対象局との関係の一例を示す図。
【図３】遠方監視制御装置１３の一例を示す機能ブロック図。
【図４】被遠方監視制御装置７１の一例を示す機能ブロック図。
【図５】変換テーブル７１ｉの一例を示す図。
【図６】監視制御情報の送信に係わる処理手順の一例を示すシーケンス図。
【図７】実施形態に係わるシーケンスにおける処理手順の一例を示すフローチャート。
【図８】比較のため既存の遠方監視制御システムの一例を示す図。
【図９】比較のため既知の処理手順の一例を示すシーケンス図。
【図１０】比較のため既知の処理手順の一例を示すフローチャート。
【発明を実施するための形態】
【００１０】
（構成）
図１は、実施形態に係わる遠方監視制御システムの一例を示す図である。図１において、遠方監視系システム１０、電話交換システム２０、および一斉指令システム３０は、監視側設備に属し、通信ネットワーク１００を介して被監視側の設備に接続される。例えば、衛星無線設備４０、多重無線設備５０、および、デジタル移動通信設備６０が被監視側に属する。ここで、デジタル移動通信設備６０には例えば２６０ＭＨｚ帯域が割り当てられる。通信ネットワーク１００は、ＴＣＰ／ＩＰ（Transmission Control Protocol / Internet Protocol）などのプロトコルを用いるネットワークであり、ルータ、交換機（ＳＷ）および端局等の装置を含む。通信ネットワーク１００は有線区間、無線区間のいずれを含んでも良い。
【００１１】
図２は、実施形態に係わる遠方監視制御システムにおける、統制局１１と監視対象局７０との関係の一例を示す図である。図２において、統制局１１は、遠方監視台１２および遠方監視制御装置１３を備える。監視対象局７０は、被遠方監視制御装置７１、監視対象設備（接点）７２および監視対象設備（ＳＮＭＰ）７３を備える。
【００１２】
遠方監視制御装置１３および被遠方監視制御装置は、通信ネットワーク１００を介して相互に通信可能に接続される。それぞれの監視対象局Ａ，Ｂ，Ｃにおいて、監視対象設備（接点）７２および監視対象設備（ＳＮＭＰ）７３は被遠方監視制御装置７１に収容される。
【００１３】
遠方監視制御装置１３は、各監視対象局Ａ，Ｂ，Ｃに設置される被遠方監視制御装置７１及び監視対象設備（ＳＮＭＰ）７３と、ＳＮＭＰにもとで監視制御情報を授受する。監視対象局Ａ，Ｂ，Ｃにおいて、被遠方監視制御装置７１と監視対象設備（ＳＮＭＰ）７３を接続し、ＳＮＭＰで監視制御情報をやり取りすることで、被遠方監視制御装置７１の操作により監視対象設備（ＳＮＭＰ）７３を監視制御することができる。
【００１４】
図３は、遠方監視制御装置１３の一例を示す機能ブロック図である。遠方監視制御装置１３は、プロセッサとしてのＣＰＵ（Central Processing Unit）およびメモリを備えるコンピュータであり、その処理機能として、システム監視機能１３ａ、画面機能１３ｂ、受信機能１３ｃ、対遠方監視台通信機能１３ｄ、プロセス間通信機能１３ｅ、接点入力機能１３ｆ、接点出力機能１３ｇ、接点入力状態変化編集機能１３ｈ、特定機能１３ｉ、ＳＮＭＰ状態変化編集機能１３ｊ、および、ＳＮＭＰマネージャ機能１３ｋを備える。これらの各機能は、プログラムに沿ったＣＰＵの演算処理により生成される、プロセスとして理解される。
【００１５】
システム監視機能１３ａは、システム監視全般にわたる機能を司る。画面機能１３ｂは、システム監視に係わる情報を、ハードウェアとしての表示装置に視覚的に表示する。
【００１６】
受信機能１３ｃは、被遠方監視制御装置７１から送信された監視制御情報を、通信ネットワーク１００経由で被遠方監視制御装置から受信する。実施形態において、項目識別子としてのＯＩＤは、被遠方監視制御装置７１において書き換えられる。
【００１７】
対遠方監視台通信機能１３ｄは、遠方監視台１２との情報通信を司る。接点入力機能１３ｆ、接点出力機能１３ｇ、および接点入力状態変化編集機能１３ｈは、監視対象局７０における監視対象設備（接点）７２を監視・制御するための機能である。ＳＮＭＰ状態変化編集機能１３ｊ、およびＳＮＭＰマネージャ機能１３ｋは、監視対象局７０における監視対象設備（ＳＮＭＰ）７３を監視・制御するための機能である。
【００１８】
特定機能１３ｉは、受信機能１３ｃにより受信された監視制御情報の送出元の監視対象設備（ＳＮＭＰ）を、この監視制御情報に含まれるＯＩＤに基づいて特定する。プロセス間通信機能１３ｅは、システム監視機能１３ａ、画面機能１３ｂ、受信機能１３ｃ、対遠方監視台通信機能１３ｄ、接点入力機能１３ｆ、接点出力機能１３ｇ、接点入力状態変化編集機能１３ｈ、特定機能１３ｉ、ＳＮＭＰ状態変化編集機能１３ｊ、および、ＳＮＭＰマネージャ機能１３ｋの各機能間でのプロセス間通信に係わる機能を司る。
【００１９】
図４は、被遠方監視制御装置７１の一例を示す機能ブロック図である。被遠方監視制御装置７１は、プロセッサとしてのＣＰＵ（Central Processing Unit）およびメモリを備えるコンピュータであり、その処理機能として、システム監視機能７１ａ、画面機能７１ｂ、送信機能７１ｃ、ＳＮＭＰエージェント機能７１ｄ、プロセス間通信機能７１ｅ、接点入力機能７１ｆ、接点出力機能７１ｇ、接点入力状態変化編集機能７１ｈ、変換テーブル７１ｉ、書き換え機能７１ｍ、ＳＮＭＰ状態変化編集機能７１ｊ、および、ＳＮＭＰマネージャ機能７１ｋを備える。これらの各機能は、プログラムに沿ったＣＰＵの演算処理により生成される、プロセスとして理解される。
【００２０】
システム監視機能７１ａは、システム監視全般にわたる機能を司る。画面機能７１ｂは、システム監視に係わる情報を、ハードウェアとしての表示装置に視覚的に表示する。
【００２１】
送信機能７１ｃは、配下の監視対象設備（ＳＮＭＰ）７３から取得した監視制御情報を遠方監視制御装置１３に送信する。ここで、取得した監視制御情報のＯＩＤは、書き換え機能７１ｍにより書き換えられている。
【００２２】
ＳＮＭＰエージェント機能７１ｄは、遠方監視制御装置１３に対するＳＮＭＰマネージャとしての機能を司る。接点入力機能７１ｆ、接点出力機能７１ｇ、および接点入力状態変化編集機能７１ｈは、配下に収容する監視対象設備（接点）７２を監視・制御するための機能である。
【００２３】
書き換え機能７１ｍは、監視対象設備（ＳＮＭＰ）７３から送出された監視制御情報のＯＩＤを、この監視制御情報の送出元の監視対象設備（ＳＮＭＰ）７３を遠方監視制御装置１３において識別できるように、書き換える。その際、書き換え機能７１ｍは、変換テーブルｉを参照する。ＳＮＭＰ状態変化編集機能７１ｊ、およびＳＮＭＰマネージャ機能７１ｋは、配下に収容した監視対象設備（ＳＮＭＰ）７３を監視・制御するための機能である。
【００２４】
プロセス間通信機能７１ｅは、システム監視機能７１ａ、画面機能７１ｂ、送信機能７１ｃ、ＳＮＭＰエージェント機能７１ｄ、接点入力機能７１ｆ、接点出力機能７１ｇ、接点入力状態変化編集機能７１ｈ、書き換え機能７１ｍ、ＳＮＭＰ状態変化編集機能７１ｊ、および、ＳＮＭＰマネージャ機能７１ｋの各機能間でのプロセス間通信に係わる機能を司る。
【００２５】
図５は、変換テーブル７１ｉの一例を示す図である。変換テーブル７１ｉは、変換前のＯＩＤと変換後のＯＩＤとを、監視制御情報の送信元の監視対象設備（ＳＮＭＰ）７３のＩＰアドレス（送信元ＩＰアドレス）ごとに対応付けて管理するためのテーブルである。例えば、変換前ＯＩＤ”1.3.6.1.4.1.186.29.1.2.2.0”は、ＩＰアドレスが”192.168.0.101”の監視対象設備（ＳＮＭＰ）７３から送信された場合には”1.3.6.1.4.1.186.XXX.001”に変換されるが、ＩＰアドレスが”192.168.0.101”の監視対象設備（ＳＮＭＰ）７３から送信された場合には”1.3.6.1.4.1.186.XXX.002”に変換される。ＳＮＭＰにおけるＭＩＢツリーの考え方によれば、ＯＩＤ中の”186”がベンダ識別子であり、続く”29”が、装置の属性を示す。実施形態では監視対象設備（ＳＮＭＰ）７３の一例として無線機（例えば図１に示される多重無線設備５０）を採りあげる。
【００２６】
（作用）
図６は、監視制御情報の送信に係わる処理手順の一例を示すシーケンス図である。図１において、被遠方監視制御装置７１に、無線機８１、８２が収容されているとする。被遠方監視制御装置７１のＩＰアドレスを”192.168.0.100”とし、無線機８１のＩＰアドレスを”192.168.0.101”とし、無線機８２のＩＰアドレスを”192.168.0.102”とする。
【００２７】
図６において、無線機８１は、高周波部異常情報を不定期または定期的に被遠方監視制御装置７１へ送信する（ステップＳ１）。送信元Ｉアドレスは”192.168.0.101”であり、監視項目の一つである高周波部の正常／異常を示すＯＩＤは、”1.3.6.1.4.1.186.29.1.2.2.0”である。
【００２８】
同様に、無線機８２は、高周波部異常情報を被遠方監視制御装置７１へ送信する（ステップＳ２）。高周波部の正常／異常を示すＯＩＤは、同じく”1.3.6.1.4.1.186.29.1.2.2.0”である。送信元Ｉアドレスは”192.168.0.102”である。
【００２９】
被遠方監視制御装置７１は、送信元ＩＰが異なっているため、送信元装置および監視項目の双方を識別することができる。さらに、被遠方監視制御装置７１は、各無線機８１、８２から送信された監視制御情報に含まれるＯＩＤを変換したうえで、遠方監視制御装置１３に転送する（ステップＳ３、Ｓ４）。ステップＳ３で転送された監視制御情報のＯＩＤは”1.3.6.1.4.1.186.XXX.001”であり、無線機８１が送出元であることが示される。また、ステップＳ４で転送された監視制御情報のＯＩＤは、”1.3.6.1.4.1.186.XXX.002”であり、無線機８２が送出元であることが示される。
【００３０】
それぞれの監視制御情報を受信した遠方監視制御装置１３は、ＯＩＤに基づいて、監視制御情報の送信元装置と、監視項目との双方を特定することができる。遠方監視制御装置１３は、これらの情報に基づいて、無線機８１、８２に関する監視制御情報を遠方監視台１２に送信する（ステップＳ５）。
【００３１】
図７は、図６に示されるシーケンスにおける処理手順の一例を示すフローチャートである。図６と同様の手順には同じ符号を付して示す。無線機８１、８２からそれぞれ高周波部異常情報が被遠方監視制御装置７１に送信される（ステップＳ１、Ｓ２）と、送信元ＩＰアドレスが異なるので、被遠方監視制御装置７１は、送信元装置および監視項目の双方を特定することができる（ステップＳ９）。
【００３２】
次に、被遠方監視制御装置７１は、各無線機８１、８２から送信された監視制御情報に含まれるＯＩＤを変換する（ステップＳ１０）。そうすると被遠方監視制御装置７１は、書き換えられたＯＩＤを含む無線機８１、８２の高周波部異常情報（監視制御情報）を遠方監視制御装置１３に送信する（ステップＳ３、Ｓ４）。
【００３３】
遠方監視制御装置１３は、ＯＩＤに基づいて、監視制御情報の送信元装置と、監視項目との双方を特定することができる（ステップＳ１１）。遠方監視台１２は、遠方監視制御装置１３から取得した情報に基づいて、無線機８１、８２を含む監視対象局Ａ，Ｂ，Ｃを監視制御することが可能になる（ステップＳ１２）。
【００３４】
（効果）
以上述べたように実施形態では、被遠方監視制御装置７１と監視対象設備（ＳＮＭＰ）７３を接続し、ＳＮＭＰで監視制御情報を授受することで、被遠方監視制御装置７１の操作で監視対象設備（ＳＮＭＰ）７３を監視制御することが可能になる。さらに、被遠方監視制御装置７１で監視対象設備（ＳＮＭＰ）７３のＯＩＤを変換して、遠方監視制御装置１３とＳＮＭＰで監視制御情報をやり取りするようにした。これにより、複数装置が同じＯＩＤになってしまうことを防止し、遠方監視制御装置１３からも監視対象設備（ＳＮＭＰ）７３を監視制御できるようになる。
【００３５】
図８に示されるように、既存の遠方監視制御システムでは、監視対象設備（ＳＮＭＰ）７３からの監視制御情報は、被遠方監視制御装置７１を経由せずに遠方監視制御装置１３に送信される。このため被遠方監視制御装置７１は監視対象設備（ＳＮＭＰ）７３についての情報を知ることができず、監視対象局において監視対象設備（ＳＮＭＰ）７３を監視制御することができなかった。
【００３６】
図９に示されるように、既存のシーケンスでは、被遠方監視制御装置７１においてＯＩＤを変換するという手順が無い。このため監視制御情報は、被遠方監視制御装置７１から遠方監視制御装置１３に転送された段階で、同じ送信元アドレス（被遠方監視制御装置７１のＩＰアドレス）と同じＯＩＤとを含んでしまうことになり、遠方監視制御装置１３で送出元（無線機８１、８２）を区別することができない。
【００３７】
図１０に示されるように、既存の処理手順では、被遠方監視制御装置７１で送信元装置および監視項目の双方を特定することができるが（ステップＳ９）、遠方監視制御装置１３では送信元装置に関する情報が失われてしまっているので、監視項目を特定することしかできない（ステップＳ６）。つまり複数の監視対象設備（ＳＮＭＰ）７３からそれぞれ送出された監視制御情報は、被遠方監視制御装置７１を経由することで、送出元アドレスが被遠方監視制御装置７１のＩＰアドレスに書き換えられるので、遠方監視制御装置１３では、監視対象設備ごとのＯＩＤを区別するすべが失われてしまう。
【００３８】
これに対し実施形態によれば、送信元の監視対象設備（ＳＮＭＰ）７３のＩＰアドレスに基づいて、被遠方監視制御装置７１でＯＩＤを変換して遠方監視制御装置１３に送信するようにしているので、遠方監視制御装置１３からであっても、被遠方監視制御装置７１の配下の監視対象設備（ＳＮＭＰ）７３を区別することができる。
【００３９】
これらのことから、遠方監視制御装置と被遠方監視制御装置との双方で複数の監視対象設備を監視可能とした遠方監視制御システム、被遠方監視制御装置および監視制御方法を提供することが可能となる。
【００４０】
また、監視対象設備（ＳＮＭＰ）７３ごとにＯＩＤをユニークに割り当てる必要が無いので、機器毎にＭＩＢコード設定ファイルを作成する必要もなく、監視制御にかかる工数が膨れ上がることを防ぎ、管理が煩雑になることも防止できる。また、一般汎用品をシステムに混在させる場合にも有利である。
【００４１】
さらに、監視対象設備（接点）を監視対象設備（ＳＮＭＰ）７３で置き換え、全ての監視対象設備を被遠方監視制御装置７１に収容し、ＳＮＭＰの枠組みの中で管理することも可能になる。これにより、信号線の引き回しが煩雑であるなどの、接点監視方式にまつわる困難を解消することができる。
【００４２】
本発明の実施形態を説明したが、この実施形態は例として提示するものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４３】
１０…遠方監視系システム、１１…統制局、１２…遠方監視台、１３…遠方監視制御装置、１３ａ…システム監視機能、１３ｂ…画面機能、１３ｃ…受信機能、１３ｄ…対遠方監視台通信機能、１３ｅ…プロセス間通信機能、１３ｆ…接点入力機能、１３ｇ…接点出力機能、１３ｈ…接点入力状態変化編集機能、１３ｉ…特定機能、１３ｊ…ＳＮＭＰ状態変化編集機能、１３ｋ…ＳＮＭＰマネージャ機能、２０…電話交換システム、３０…一斉指令システム、４０…衛星無線設備、５０…多重無線設備、６０…デジタル移動通信設備、７０…監視対象局、７１…被遠方監視制御装置、７１ａ…システム監視機能、７１ｂ…画面機能、７１ｃ…送信機能、７１ｄ…ＳＮＭＰエージェント機能、７１ｅ…プロセス間通信機能、７１ｆ…接点入力機能、７１ｇ…接点出力機能、７１ｈ…接点入力状態変化編集機能、７１ｉ…変換テーブル、７１ｊ…ＳＮＭＰ状態変化編集機能、７１ｋ…ＳＮＭＰマネージャ機能、７１ｍ…書き換え機能、７２…監視対象設備、７３…監視対象設備、８１…無線機、８２…無線機、１００…通信ネットワーク。
【図１】
2019057786.tif 000003
【図２】
2019057786.tif 000004
【図３】
2019057786.tif 000005
【図４】
2019057786.tif 000006
【図５】
2019057786.tif 000007
【図６】
2019057786.tif 000008
【図７】
2019057786.tif 000009
【図８】
2019057786.tif 000010
【図９】
2019057786.tif 000011
【図１０】
2019057786.tif 000012